【手続補正書】
【提出日】平成17年6月9日(2005.6.9)
【手続補正１】
【補正対象書類名】明細書
【補正対象項目名】特許請求の範囲
【補正方法】変更
【補正の内容】
【特許請求の範囲】
【請求項１】
貯蔵容器用の自閉弁であって、
（ａ）前記自閉弁（１０）が、ハウジング（１２）の開口（１３）を閉じるように該ハウジングの周辺に固定されることができる縁部領域（２０）と、
（ｂ）開くことができる供給用開口（７０）を有する弁がさ（２２）であって、該開口が開いて加圧された製品が供給される前進供給位置と、前記開口が閉じて前記弁がさがシールを形成する後退非作動位置との間を、前記縁部領域に対して軸方向に移動可能な弁がさと、
（ｃ）孔がなく可撓性を有する連結壁（２４）と、
を有する貯蔵容器用の自閉弁において、
前記連結壁（２４）は、前記縁部領域（２０）と前記弁がさ（２２）との間に直列に配置され、Ｖ字形のエルボ部（５８）で結合された第１および第２の部分（５６，５７）を有し、
前記第１の部分（５６）は、前記縁部領域から内向きに前記エルボ部へ延び、
前記第２の部分（５７）は、前記エルボ部からほぼ軸方向に前記弁がさとの周辺取付け部へ延び、
前記連結壁は前記エルボ部で肉厚が増し、それによって前記自閉弁の作動時に、該エルボ部が同一形状を保ち、前記弁がさを前記後退非作動位置へ戻すばねとして弾性的に作動することができることを特徴とする、自閉弁。
【請求項２】
前記連結壁（２４）の前記第１の部分（５６）は、前記弁がさ（２２）が前記後退非作動位置および前記前進供給位置の各位置にあるときはほぼ円錐台形をなし、該後退非作動位置においては前記弁がさから遠ざかるように内向き下方に延び、前記前進供給位置においては前記弁がさに向かって内向き上方に延び、前記弁が正の圧力において前記後退非作動位置と前記前進供給位置との間で双安定的に作動する、請求項１に記載の自閉弁。
【請求項３】
前記連結壁（２４）の前記第１の部分（５６）は、前記弁がさ（２２）が前記後退非作動位置と前記前進供給位置との間を動く時に、ほぼ円錐台形で、内向きで下向きに延びる応力のない位置から、ほぼ平坦な準安定位置へ動くようにされている、請求項１に記載の自閉弁。
【請求項４】
前記連結壁（２４）は、内向きでほぼ半径方向に延び、該連結壁（２４）を弁がさ周縁部（４０）に取り付けるフランジ（６０）を有し、
前記弁がさ（２２）の厚さは該弁がさ周縁部から内向きに前記供給用開口（７０）に向けて減少しており、
前記連結壁の前記フランジは、前記弁がさ周縁部の高々三分の一の厚さであって、前記自閉弁の作動中ほとんど曲げ剛性の無い一体蝶番として作動することができる、請求項１から３のいずれか１項に記載の自閉弁。
【請求項５】
前記自閉弁（１０）の使用中の休止位置は該自閉弁の製造時の位置と同じである、請求項１から４のいずれか１項に記載の自閉弁。
【請求項６】
前記連結壁（２４）の前記エルボ部（５８）に隣接する部位から内側に突出す突起手段（５４，５４Ａ）を有している、請求項１から５のいずれか１項に記載の自閉弁。
【請求項７】
前記突起手段は、間隔をおいてリング状に配置された複数のボス（５４）を有している、請求項６に記載の自閉弁。
【請求項８】
前記突起手段は、連続したビード（５４Ａ）を有している、請求項６に記載の自閉弁。
【請求項９】
請求項１から８のいずれか１項に記載の自閉弁と、
前記ハウジング（１２）とを有し、
前記自閉弁（１０）は、前記ハウジング（１２）に、前記縁部領域（２０）において、該ハウジングとの間にシールを形成して取り付けられている集合体。
【請求項１０】
前記自閉弁（１０）が前記後退非作動位置と前記前進供給位置との間を動く間、前記連結壁（２４）および前記弁がさ（２２）は、常に前記ハウジング（１２）から離されている、請求項９に記載の集合体。
【請求項１１】
前記自閉弁（１０）が前記後退非作動位置から前記前進供給位置へ動く時、前記連結壁（２４）の前記エルボ部（５８）は、該連結壁が拘束されるように前記ハウジング（１２）と係合する、請求項１に記載の自閉弁を備えた、請求項９に記載の集合体。
【請求項１２】
前記自閉弁（１０）が前記後退非作動位置から前記前進供給位置へ動く時、前記連結壁（２４）の前記第１の部分（５６）は、該連結壁が拘束されるように前記ハウジング（１２）と係合する、請求項１に記載の自閉弁を備えた、請求項９に記載の集合体。
【請求項１３】
前記弁がさ（２２）は上部周縁部の周りに、前記自閉弁の作動中常に前記ハウジング（１２）から突き出す、柔軟で先細り形状のへり（５９）を備えている、請求項９から１２のいずれか１項に記載の集合体。
【請求項１４】
貯蔵容器用の自閉弁であって、
（ａ）前記自閉弁（１０）が、ハウジング（１２）の開口（１３）を閉じるように該ハウジングの周辺に固定されることができる縁部領域（２０）と、
（ｂ）中央部に形成され、かつ加圧された製品が供給されるように開くことのできる供給用開口（７０）を有し、該製品が供給された後製品圧力が低下するとシールを形成するように自己閉止が可能な弁がさと、
（ｃ）孔がなく可撓性を有し、前記縁部領域と前記弁がさとを連結する連結壁（２４）と、
を有する貯蔵容器用の自閉弁において、
前記連結壁（２４）は、ほぼ円筒形状の第１の部分（５７）と、内向きでほぼ半径方向に延び、該第１の部分を弁がさ周辺部に取り付ける第２の部分（６０）とを有し、
前記弁がさの厚さは、前記弁がさ周辺部から内方に、前記供給用開口に向かって減少しており、前記連結壁の前記第２の部分の厚さは前記弁がさ周辺部の厚さの高々三分の一であって、前記自閉弁の作動中ほとんど曲げ剛性の無い一体蝶番として作動することができることを特徴とする、自閉弁。
【請求項１５】
前記自閉弁の使用中の休止位置は製造時の位置と同じである、請求項１４に記載の自閉弁。
【手続補正２】
【補正対象書類名】明細書
【補正対象項目名】０００７
【補正方法】変更
【補正の内容】
【０００７】
本発明の目的は、上述の要件を少なくとも実質的に満足させる自閉弁を提供することである。本発明の第１の実施態様によれば、貯蔵容器用の自閉弁は、
（ａ）自閉弁が、ハウジングの開口を閉じるようにハウジングの周辺に固定されることができる縁部領域と、
（ｂ）開くことができる供給用開口を有する弁がさであって、開口が開いて加圧された製品が供給される前進供給位置と、開口が閉じて弁がさがシールを形成する後退非作動位置との間を、縁部領域に対して軸方向に移動可能な弁がさと、
（ｃ）孔がなく可撓性を有する連結壁と、
を有している。連結壁は、縁部領域と弁がさとの間に直列に配置され、Ｖ字形のエルボ部で結合された第１および第２の部分を有し、第１の部分は、縁部領域から内向きにエルボ部へ延び、第２の部分は、エルボ部からほぼ軸方向に弁がさとの周辺取付け部へ延び、連結壁はエルボ部で肉厚が増し、それによって自閉弁の作動時に、エルボ部が同一形状を保ち、弁がさを後退非作動位置へ戻すばねとして弾性的に作動することができるものである。
【手続補正３】
【補正対象書類名】明細書
【補正対象項目名】００１０
【補正方法】変更
【補正の内容】
【００１０】
本発明の第２の実施態様によれば、貯蔵容器用の自閉弁は、
（ａ）自閉弁が、ハウジングの開口を閉じるようにハウジングの周辺に固定されることができる縁部領域と、
（ｂ）中央部に形成され、かつ加圧された製品が供給されるように開くことのできる供給用開口を有し、製品が供給された後製品圧力が低下するとシールを形成するように自己閉止が可能な弁がさと、
（ｃ）孔がなく可撓性を有し、縁部領域と弁がさとを連結する連結壁と、
を有している。連結壁は、ほぼ円筒形状の第１の部分と、内向きでほぼ半径方向に延び、第１の部分を弁がさ周辺部に取り付ける第２の部分とを有し、弁がさの厚さは、弁がさ周辺部から内方に、供給用開口に向かって減少しており、連結壁の第２の部分の厚さは、弁がさ周辺部の厚さの高々三分の一であって、自閉弁の作動中ほとんど曲げ剛性の無い一体蝶番として作動することができることを特徴としている。